(57)【特許請求の範囲】
【請求項１】
画像撮影機能を有すると共に外部メモリの脱着が可能な本体を具えた撮像装置において、前記本体には、画像撮影によって得られた映像データを符号化して画像ファイルを生成する第１信号処理手段と、該第１信号処理手段によって生成された画像ファイルを復号化して映像データを生成する第２信号処理手段と、第１信号処理手段から得られる画像ファイルを前記外部メモリに書き込み或いは前記外部メモリから画像ファイルを読み出すためのメモリコントローラと、第２信号処理手段から得られる映像データを出力する出力手段と、前記外部メモリよりも大容量の外部記憶装置を接続するためのインターフェースと、該インターフェースを経由するデータの送受を制御するホストコントローラと、前記外部メモリと外部記憶装置の間で相互にデータの転送を行なうべく前記メモリコントローラ及びホストコントローラの動作を制御する主制御手段とを具え、
前記主制御手段は、前記外部記憶装置に記録されているファイルを前記外部メモリに書き戻す際、外部記憶装置におけるディレクトリ構造を外部メモリにおけるディレクトリ構造に縮小するディレクトリ構造縮小手段を具えている撮像装置。
【請求項２】
画像撮影機能を有すると共に外部メモリの脱着が可能な本体を具えた撮像装置において、前記本体には、画像撮影によって得られた映像データを符号化して画像ファイルを生成する第１信号処理手段と、該第１信号処理手段によって生成された画像ファイルを復号化して映像データを生成する第２信号処理手段と、第１信号処理手段から得られる画像ファイルを前記外部メモリに書き込み或いは前記外部メモリから画像ファイルを読み出すためのメモリコントローラと、第２信号処理手段から得られる映像データを出力する出力手段と、前記外部メモリよりも大容量の外部記憶装置を接続するためのインターフェースと、該インターフェースを経由するデータの送受を制御するホストコントローラと、前記外部メモリと外部記憶装置の間で相互にデータの転送を行なうべく前記メモリコントローラ及びホストコントローラの動作を制御する主制御手段とを具え、
前記外部記憶装置におけるディレクトリ構造は、前記外部メモリにおけるディレクトリ構造を最下位のディレクトリ部として含んでいる撮像装置。
【請求項３】
前記外部記憶装置におけるディレクトリ構造は、前記外部メモリにおけるディレクトリ構造を最下位のディレクトリ部として、該ディレクトリ部の上位に該ディレクトリ部を１単位のロールとして管理するためのロール管理ディレクトリ、該ロール管理ディレクトリの上位にロール毎の日付管理を行なうための日付管理ディレクトリを配置したものである請求項２に記載の撮像装置。
【請求項４】
画像撮影機能を有すると共に外部メモリの脱着が可能な本体を具えた撮像装置において、前記本体には、画像撮影によって得られた映像データを符号化して画像ファイルを生成する第１信号処理手段と、該第１信号処理手段によって生成された画像ファイルを復号化して映像データを生成する第２信号処理手段と、第１信号処理手段から得られる画像ファイルを前記外部メモリに書き込み或いは前記外部メモリから画像ファイルを読み出すためのメモリコントローラと、第２信号処理手段から得られる映像データを出力する出力手段と、前記外部メモリよりも大容量の外部記憶装置を接続するためのインターフェースと、該インターフェースを経由するデータの送受を制御するホストコントローラと、前記外部メモリと外部記憶装置の間で相互にデータの転送を行なうべく前記メモリコントローラ及びホストコントローラの動作を制御する主制御手段とを具え、
前記主制御手段は、前記外部記憶装置から１つの画像ファイルを読み出して再生する再生モードにて、外部記憶装置におけるディレクトリ構造を上位の階層から下位の階層へ順次移行しつつ各中間階層でユーザの選択操作を促す選択画面を表示し、最終的にユーザが選択した特定の画像ファイルを再生することが可能であると共に、中間階層の選択画面を表示することなく上位の階層から下位の階層へ直接に移行して、所定の画像ファイルを再生することが可能である撮像装置。
【請求項５】
画像撮影機能を有すると共に外部メモリの脱着が可能な本体を具えた撮像装置において、前記本体には、画像撮影によって得られた映像データを符号化して画像ファイルを生成する第１信号処理手段と、該第１信号処理手段によって生成された画像ファイルを復号化して映像データを生成する第２信号処理手段と、第１信号処理手段から得られる画像ファイルを前記外部メモリに書き込み或いは前記外部メモリから画像ファイルを読み出すためのメモリコントローラと、第２信号処理手段から得られる映像データを出力する出力手段と、前記外部メモリよりも大容量の外部記憶装置を接続するためのインターフェースと、該インターフェースを経由するデータの送受を制御するホストコントローラと、前記外部メモリと外部記憶装置の間で相互にデータの転送を行なうべく前記メモリコントローラ及びホストコントローラの動作を制御する主制御手段とを具え、
前記主制御手段は、複数の画像を所定の順序で再生するアルバムモードの編集において、既存のファイル列に新たなファイルを追加する際には、そのファイルの挿入位置を表わすインサートポインタを画面に表示し、既存のファイル列に含まれる１つのファイルを他の位置に移動する際には、移動すべきファイルを示すファイルポインタを画面に表示すると共に、そのファイルの移動先を表わすインサートポインタを画面に表示する撮像装置。
【請求項６】
前記主制御手段は、前記外部メモリに書き込まれているファイルを前記外部記憶装置に転送する際、外部メモリにおけるディレクトリ構造を外部記憶装置におけるディレクトリ構造に拡張するディレクトリ構造拡張手段を具えている請求項１乃至５のいずれかに記載の撮像装置。
【請求項７】
前記主制御手段は、前記外部記憶装置から画像ファイルを読み出して前記インターフェースを経て前記第２信号処理手段へ供給する画像再生機能を有している請求項１乃至請求項６の何れかに記載の撮像装置。
【請求項８】
画像撮影機能を有すると共に外部メモリの脱着が可能な本体に対し、前記外部メモリよりも大容量の外部記憶装置を接続して構成される撮像システムにおいて、前記本体には、画像撮影によって得られた映像データを符号化して画像ファイルを生成する第１信号処理手段と、該第１信号処理手段によって生成された画像ファイルを復号化して映像データを生成する第２信号処理手段と、第１信号処理手段から得られる画像ファイルを前記外部メモリに書き込み或いは前記外部メモリから画像ファイルを読み出すためのメモリコントローラと、第２信号処理手段から得られる映像データを出力する出力手段と、前記外部記憶装置を接続するためのインターフェースと、該インターフェースを経由するデータの送受を制御するホストコントローラと、前記メモリコントローラ及びホストコントローラの動作を制御して前記外部メモリに書き込まれている画像ファイルを前記外部記憶装置に転送する画像転送機能を有する主制御手段とを具え、
前記主制御手段は、前記外部記憶装置に記録されているファイルを前記外部メモリに書き戻す際、外部記憶装置におけるディレクトリ構造を外部メモリにおけるディレクトリ構造に縮小するディレクトリ構造縮小手段を具えていることを特徴とする撮像システム。
【発明の詳細な説明】
【技術分野】
【０００１】
本発明は、デジタルカメラ等の撮像装置と、該撮像装置に外部記憶装置を接続してなる撮像システムに関するものである。
【背景技術】
【０００２】
従来、デジタルカメラにおいては、静止画や動画の撮影が可能であると共に撮影時の音声の収録が可能となっており、撮影によって得られた画像データは、外部メモリに書き込むことが出来るようになっている(特許文献１、２参照)。
【０００３】
例えば、図２８に示すデジタルカメラにおいては、カメラ本体(41)に、レンズやＣＣＤ等の光学撮像系(42)と、該光学撮像系(42)から得られる信号に必要な処理を施すカメラ信号処理回路(43)と、カメラ信号処理回路(43)から得られる映像信号にＪＰＥＧ等による符号化を施すエンコーダー(44)と、エンコーダー(44)から得られる映像信号を書き込むべき脱着式のメモリーカード(47)と、メモリーカード(47)から読み出された映像信号にＪＰＥＧ等による復号化を施すデコーダー(45)と、デコーダー(45)から得られる映像信号をディスプレイ(49)へ出力するビデオ出力回路(46)と、ストレージ装置(51)を接続するためのインターフェース(48)とが装備されている。
【０００４】
ストレージ装置(51)には、メモリーカード(47)から信号を読み出すためのカードドライブ(52)と、カメラ本体(41)のインターフェース(48)と接続されるべきインターフェース(53)と、カードドライブ(52)やインターフェース(53)から得られる信号を記録するためのハードディスク等のストレージメディア(54)と、ストレージメディア(54)から読み出される映像信号にＪＰＥＧ等による復号化を施すデコーダー(55)と、デコーダー(55)から得られる映像信号をディスプレイ(57)へ出力するためのビデオ出力回路(56)とが装備されている。
【０００５】
上記デジタルカメラにおいては、撮影によって作成される写真ファイル、動画ファイル及び音声ファイルをメモリーカード(47)に書き込むことが可能であると共に、メモリーカード(47)から写真ファイルや動画ファイルを読み出してディスプレイ(49)に映出することが出来る。
又、カメラ本体(41)にストレージ装置(51)を接続することによって、カメラ本体(41)のメモリーカード(47)に書き込まれている写真ファイル、動画ファイル及び音声ファイルをストレージ装置(51)に転送し、その後、ストレージ装置(51)から写真ファイルや動画ファイルを読み出して、ストレージ装置(51)に接続されたディスプレイ(57)に映出することも可能である。
【０００６】
尚、ストレージ装置(51)は、例えばパーソナルコンピュータによって構成され、カメラ本体(41)のメモリーカード(47)に書き込まれているファイルをストレージ装置(51)に転送するための制御は、ストレージ装置(51)側の制御回路(図示省略)によって実行されており、カメラ本体(41)側のメモリーカード(47)をストレージ装置(51)の外部メモリとみなし、該メモリーカード(47)から読み出したファイルをインターフェース(48)(53)を経てハードディスク等のストレージメディア(54)へ書き込むものであった。
【特許文献１】特開平５−９１４５２号公報［H04N5/907］
【特許文献２】特開２００２−３５９７６３号公報［H04N5/225］
【発明の開示】
【発明が解決しようとする課題】
【０００７】
しかしながら、従来のデジタルカメラにおいては、インターフェース(48)の動作が例えばＵＳＢデバイスコントローラによって制御されており、該インターフェース(48)によっては、カメラ本体(41)のメモリーカード(47)に書き込まれているファイルをストレージ装置(51)に転送することは可能であるものの、ストレージメディア(54)に記録されているファイルをカメラ本体(41)のメモリーカード(47)に書き戻すことは出来なかった。
従って、ストレージメディア(54)に蓄積された多数のファイルの中から所望のファイルを選択して再生するためには、ストレージ装置(51)にデコーダー(55)やビデオ出力回路(56)を装備する必要があり、構成が複雑となる問題があった。
【０００８】
そこで本発明の目的は、デコーダーやビデオ出力回路を具えない単なる外部記憶装置を接続した構成においても、該外部記憶装置に多数のファイルを記録することが出来ると共に、該外部記憶装置に蓄積された多数のファイルの中から所望のファイルを再生して出力することが出来る撮像装置、並びに撮像システムを提供することである。
【課題を解決するための手段】
【０００９】
本発明に係る撮像装置は、画像撮影機能を有すると共に外部メモリの脱着が可能な本体を具え、該本体には、画像撮影によって得られた映像データを符号化して画像ファイルを生成する第１信号処理手段と、該第１信号処理手段によって生成された画像ファイルを復号化して映像データを生成する第２信号処理手段と、第１信号処理手段から得られる画像ファイルを前記外部メモリに書き込み或いは前記外部メモリから画像ファイルを読み出すためのメモリコントローラと、第２信号処理手段から得られる映像データを出力する出力手段と、前記外部メモリよりも大容量の外部記憶装置を接続するためのインターフェースと、該インターフェースを経由するデータの送受を制御するホストコントローラと、前記外部メモリと外部記憶装置の間で相互にデータの転送を行なうべく前記メモリコントローラ及びホストコントローラの動作を制御する主制御手段とを具えている。
【００１０】
上記本発明の撮像装置のインターフェースに外部記憶装置を接続することによって、本発明に係る撮像システムが構成される。
該撮像システムにおいては、外部メモリと外部記憶装置の間で相互にデータの転送を行なうことが可能となっており、外部メモリに書き込まれているファイルを、インターフェースを経て外部記憶装置に転送することによって、該外部記憶装置に多数のファイルを記録した後、該外部記録装置に蓄積されている多数のファイルの中の所望のファイルを、インターフェースを経て外部メモリに書き戻すことが出来る。
その後、外部メモリに書き込まれているファイルを第２信号処理手段へ供給することによって、該ファイルを復号化し、これによって得られる映像データをディスプレイへ出力することにより、静止画や動画を再生することが出来る。
【００１１】
具体的構成において、前記主制御手段は、前記外部メモリに書き込まれているファイルを前記外部記憶装置に転送する際、外部メモリにおけるディレクトリ構造を外部記憶装置におけるディレクトリ構造に拡張するディレクトリ構造拡張手段を具えると共に、前記外部記憶装置に記録されているファイルを前記外部メモリに書き戻す際、外部記憶装置におけるディレクトリ構造を外部メモリにおけるディレクトリ構造に縮小するディレクトリ構造縮小手段を具えている。
【００１２】
該具体的構成によれば、小容量の外部メモリと大容量の外部記憶装置との間のデータ転送においてディレクトリ構造の変更が行なわれるので、相互のアクセス性が良好となる。
【００１３】
更に具体的な構成において、前記外部記憶装置におけるディレクトリ構造は、前記外部メモリにおけるディレクトリ構造を最下位のディレクトリ部として、該ディレクトリ部の上位に該ディレクトリ部を１単位のロールとして管理するロール管理ディレクトリ、該ロール管理ディレクトリの上位にロール毎の日付管理を行なう日付管理ディレクトリを配置したものである。
【００１４】
該具体的構成によれば、外部メモリと外部記憶装置との間のデータの転送において、外部メモリにおけるディレクトリ構造がそのまま維持されるので、相互のアクセス性が更に良好なものとなる。
【００１５】
又、他の具体的構成において、前記主制御手段は、前記外部記憶装置から画像ファイルを読み出して前記インターフェースを経て前記第２信号処理手段へ供給する画像再生機能を有している。
【００１６】
該具体的構成によれば、外部記録装置に蓄積されている多数のファイルから所望のファイルを選択し、該ファイルをインターフェースを経て第２信号処理手段へ供給することが可能であり、これによって画像ファイルを復号化して映像データを生成し、該映像データをディスプレイへ出力することにより、静止画や動画を再生することが出来る。
【発明の効果】
【００１７】
本発明に係る撮像装置及び撮像システムによれば、デコーダーやビデオ出力回路を具えない単なる外部記憶装置を接続した構成においても、該外部記憶装置に多数のファイルを記録することが出来ると共に、該外部記憶装置に蓄積された多数のファイルの中から所望のファイルを再生して出力することが出来る。
【発明を実施するための最良の形態】
【００１８】
以下、本発明をデジタルカメラに実施した形態につき、図面に沿って具体的に説明する。
本発明に係るデジタルカメラは、図１に示す如くカメラ本体(１)を具え、該カメラ本体(１)には、操作部(30)と、操作部(30)からの操作信号に応じて各種の制御手続きを実行するＣＰＵ(31)と、ＣＰＵ(31)が実行すべき制御手続きが書き込まれているメモリ(32)とを具え、ＣＰＵ(31)及びメモリ(32)はバス(33)に接続されている。
【００１９】
カメラ本体(１)においては、光学系(６)からの映像光がＣＣＤ(８)にて電気信号に変換され、該電気信号はＡ／Ｄ変換された後、ＪＰＥＧ符号化回路(11)及びＭＰＥＧ−４ビデオ符号化回路(12)へ供給される。又、マイクロホン(７)からの音声信号はＡ／Ｄ変換された後、ＡＡＣオーディオ符号化回路(13)へ供給される。
ＪＰＥＧ符号化回路(11)の出力端はバス(33)に接続されており、ＣＰＵ(31)による制御の下で写真ファイルが作成される。ＭＰＥＧ−４ビデオ符号化回路(12)及びＡＡＣオーディオ符号化回路(13)の出力端はバス(33)に接続されており、ＣＰＵ(31)による制御の下で動画ファイルと音声ファイルが作成される。
【００２０】
前記写真ファイルはバス(33)を経てＪＰＥＧ復号化回路(20)へ供給される。又、前記動画ファイルはバス(33)を経てＭＰＥＧ−４ビデオ復号化回路(21)とＡＡＣオーディオ復号化回路(22)に供給されると共に、前記音声ファイルはＭＰＥＧ−４ビデオ符号化回路(12)に供給される。
ＪＰＥＧ復号化回路(20)及びＭＰＥＧ−４ビデオ復号化回路(21)の出力は、ビデオエンコーダ(23)にて映像データに変換された後、切換えスイッチＳＷ１及び出力アンプ(24)を経て映像出力端子(1b)に出力される一方、映像データは、切換えスイッチＳＷ１の切り換えによって、ＬＣＤドライバ(34)を経て液晶ディスプレイ(35)へ出力される。又、ＡＡＣオーディオ復号化回路(22)の出力は、Ｄ／Ａ変換回路(25)にて音声信号に変換された後、出力アンプ(26)及び切換えスイッチＳＷ２を経て音声出力端子(1c)に出力される一方、音声信号は、切換えスイッチＳＷ２の切り換えによって、出力アンプ(26)及びスピーカアンプ(36)を経てスピーカ(37)に出力される。
【００２１】
又、カメラ本体(１)には、ＳＤカード等の外部メモリカード(16)を着脱可能に装着することが可能なカードドライブ(15)が装備されており、該カードドライブ(15)とバス(33)との間にはメモリコントローラ(14)が介在している。
更に、カメラ本体(１)には、ＵＳＢ端子(1a)が設けられており、該ＵＳＢ端子(1a)にはＵＳＢインターフェース(17)が接続され、該ＵＳＢインターフェース(17)とバス(33)との間には、ＵＳＢデバイスコントローラ(18)とＵＳＢホストコントローラ(19)とが互いに並列に介在している。
【００２２】
カメラ本体(１)のＵＳＢ端子(1a)、映像出力端子(1b)及び音声出力端子(1c)には、クレードル(２)を接続することが可能である。該クレードル(２)には、ＵＳＢ端子(1a)に対して並列に接続されるべきＵＳＢデバイスコネクタ(27)及びＵＳＢホストコネクタ(28)が設けられると共に、映像出力端子(1b)及び音声出力端子(1c)に接続されるべきＡＶコネクタ(29)が設けられている。
【００２３】
クレードル(２)のＵＳＢホストコネクタ(28)には外部ハードディスク装置(３)を接続することが可能であり、ＡＶコネクタ(29)にはモニタテレビジョン受像機(４)及びスピーカー(５)を接続することが可能である。
又、カメラ本体(１)には受光部(38)が設けられており、リモートコントロール器(39)からの赤外線信号を受信し、該信号をＣＰＵ(31)へ供給することによって、遠隔操作を行なうことも可能である。
【００２４】
尚、本発明に係るデジタルカメラにおいて、カメラ本体(１)のＵＳＢホストコントローラ(19)と、クレードル(２)のＵＳＢホストコネクタ(28)とが、従来の構成には無い新規な構成要素であり、更にＣＰＵ(31)による後述の制御においても、従来の構成には無い新規な制御手続きが採用されている。
又、カメラ本体(１)に対してクレードル(２)を介して外部ハードディスク装置(３)を接続して撮像システムを構成することが可能であり、後述の如く外部ハードディスク装置(３)にはデコーダーやビデオ出力回路を接続する必要がない点で、従来の構成とは大きく異なっている。
【００２５】
１．外部メモリカード(16)の記録／再生
図１に示す本発明のデジタルカメラにおいては、撮影によって得られる写真ファイル、動画ファイル及び音声ファイルをカメラ本体(１)のメモリコントローラ(14)の制御によって外部メモリカード(16)に書き込むことが出来る。
【００２６】
その後、メモリコントローラ(14)の制御によって、外部メモリカード(16)に書き込まれている写真ファイルを読み出し、該写真ファイルをＪＰＥＧ復号化回路(20)へ供給することによって、出力アンプ(24)から映像データを得て、該映像データをクレードル(２)からモニタテレビジョン受像機(４)に供給して、静止画を再生することが出来る。
【００２７】
又、メモリコントローラ(14)の制御によって、外部メモリカード(16)に書き込まれている動画ファイルを読み出し、該動画ファイルをＭＰＥＧ−４ビデオ復号化回路(21)及びＡＡＣオーディオ復号化回路(22)へ供給することによって、出力アンプ(24)(26)から映像データと音声信号を得て、該映像データと音声信号をクレードル(２)からモニタテレビジョン受像機(４)及びスピーカー(５)に供給して、動画を再生することが出来る。
【００２８】
更に、メモリコントローラ(14)の制御によって、外部メモリカード(16)に書き込まれている音声ファイルを読み出し、該音声ファイルをＡＡＣオーディオ復号化回路(22)へ供給することによって、Ｄ／Ａ変換回路(25)から音声信号を得て、該音声信号をクレードル(２)からスピーカー(５)に供給して、音声を再生することが出来る。
【００２９】
２．外部ハードディスク装置(３)への記録
カメラ本体(１)のＪＰＥＧ符号化回路(11)から得られる写真ファイルを、ＵＳＢホストコントローラ(19)の制御によってＵＳＢインターフェース(17)からＵＳＢ端子(1a)に出力し、クレードル(２)のＵＳＢホストコネクタ(28)から外部ハードディスク装置(３)へ供給して、外部ハードディスク装置(３)に静止画を記録することが出来る。
【００３０】
又、カメラ本体(１)のＭＰＥＧ−４ビデオ符号化回路(12)及びＡＡＣオーディオ符号化回路(13)から得られる動画ファイルを、ＵＳＢホストコントローラ(19)の制御によってＵＳＢインターフェース(17)からＵＳＢ端子(1a)に出力し、クレードル(２)のＵＳＢホストコネクタ(28)から外部ハードディスク装置(３)へ供給して、外部ハードディスク装置(３)に動画を記録することが出来る。
【００３１】
更に、カメラ本体(１)のＡＡＣオーディオ符号化回路(13)から得られる音声ファイルを、ＵＳＢホストコントローラ(19)の制御によってＵＳＢインターフェース(17)からＵＳＢ端子(1a)に出力し、クレードル(２)のＵＳＢホストコネクタ(28)から外部ハードディスク装置(３)へ供給して、外部ハードディスク装置(３)に音声を記録することが出来る。
【００３２】
３．外部メモリカード(16)から外部ハードディスク装置(３)へのデータ転送
カメラ本体(１)のメモリコントローラ(14)の制御によって外部メモリカード(16)からファイルを読み出し、該ファイルをＵＳＢホストコントローラ(19)の制御によってＵＳＢインターフェース(17)からＵＳＢ端子(1a)に出力し、クレードル(２)のＵＳＢホストコネクタ(28)から外部ハードディスク装置(３)へ供給して、外部ハードディスク装置(３)にファイルを記録することが出来る。
【００３３】
４．外部ハードディスク装置(３)から外部メモリカード(16)への書き戻し
カメラ本体(１)のＵＳＢホストコントローラ(19)の制御によって、外部ハードディスク装置(３)に記録されている特定のファイルを、クレードル(２)を経てカメラ本体(１)のＵＳＢインターフェース(17)へ読み込み、ＵＳＢインターフェース(17)から得られるファイルを、メモリコントローラ(14)の制御によって外部メモリカード(16)に書き戻すことが出来る。
【００３４】
５．外部ハードディスク装置(３)からの再生
カメラ本体(１)のＵＳＢインターフェース(17)の制御によって、外部ハードディスク装置(３)に記録されている特定の写真ファイルを、クレードル(２)を経てカメラ本体(１)のＵＳＢインターフェース(17)へ読み込み、ＵＳＢインターフェース(17)から得られるファイルを、ＪＰＥＧ復号化回路(20)に供給することによって、出力アンプ(24)から映像データを得て、該映像データをクレードル(２)からモニタテレビジョン受像機(４)に供給して、静止画を再生することが出来る。
【００３５】
又、カメラ本体(１)のＵＳＢインターフェース(17)の制御によって、外部ハードディスク装置(３)に記録されている特定の動画ファイルを、クレードル(２)を経てカメラ本体(１)のＵＳＢインターフェース(17)へ読み込み、ＵＳＢインターフェース(17)から得られるファイルを、ＭＰＥＧ−４ビデオ復号化回路(21)及びＡＡＣオーディオ復号化回路(22)に供給することによって、出力アンプ(24)(26)から映像データ及び音声信号を得て、該映像データ及び音声信号をクレードル(２)からモニタテレビジョン受像機(４)及びスピーカー(５)に供給して、動画を再生することが出来る。
【００３６】
更に、カメラ本体(１)のＵＳＢインターフェース(17)の制御によって、外部ハードディスク装置(３)に記録されている特定の音声ファイルを、クレードル(２)を経てカメラ本体(１)のＵＳＢインターフェース(17)へ読み込み、ＵＳＢインターフェース(17)から得られるファイルを、ＡＡＣオーディオ復号化回路(22)に供給することによって、出力アンプ(26)から音声信号を得て、該音声信号をクレードル(２)からスピーカー(５)に供給して、音声を再生することが出来る。
【００３７】
図２６は、外部メモリカード(16)に書き込まれるファイルのディレクトリ構造を示しており、ＤＣＦ規格が採用されている。図２７は、外部ハードディスク装置(３)に記録されるファイルのディレクトリ構造を示している。
ＤＣＦディレクトリにおいては、図２６に示す如く、最上位のディレクトリにフォルダ“DCIM”が設けられ、その下位にフォルダ“100SANYO”〜“999SANYO”が設けられ、これらのフォルダには、静止画や動画のファイル(“SANY0001”〜“SANY9999”)が格納される。
【００３８】
一方、外部ハードディスク装置(３)についてのディレクトリ構造においては、図２７に示す如く、最下位に、前記外部メモリカード(16)についてのディレクトリ構造をそのまま採用したＤＣＦディレクトリが作成され、該ＤＣＦディレクトリの上位には、各ＤＣＦディレクトリを１単位としてロール番号が付与されたロール管理フォルダ“ROLL0001”、“ROLL0002”・・・が作成される。
【００３９】
外部ハードディスク装置(３)へのファイルの転送においては、ロール管理フォルダの上位に、転送の日付を含む日付管理フォルダが新規作成され、日付の同じ複数のロールは同じ日付管理フォルダに転送される。日付が変わると、新しい日付の日付管理フォルダが新規作成される。
【００４０】
更に、日付管理フォルダの上位には、メディア管理フォルダが作成され、該メディア管理フォルダと並列に、リソース管理フォルダ、アルバム管理フォルダ、及びインデックスファイルが作成される。
リソース管理フォルダには、壁紙画像ファイル、ＢＧＭサウンドファイル、切替効果マスクファイル等が作成される。アルバム管理フォルダには、再生ファイル順設定、静止画表示時間設定、切り替え効果設定、ＢＧＭ設定のためのアルバムファイルが作成される。
【００４１】
上述の外部メモリカード(16)及び外部ハードディスク装置(３)のディレクトリ構造によれば、外部メモリカード(16)と外部ハードディスク装置(３)の間の相互のデータ転送において、ＤＣＦディレクトリが維持されるので、ファイルのアクセス性が極めて良好である。
【００４２】
図２〜図２２は、外部メモリカード(16)としてＳＤカードを採用した場合の前記ＣＰＵ(31)による制御手続きを示している。
図２は基本的な流れを示しており、起動後、先ずステップＳ０にてバッテリ残量、ＳＤカードの残量等の初期チェックを行なった後、ステップＳ１にて、ＵＳＢケーブルの接続の有無を判定し、ＵＳＢケーブルが接続されていないカメラモードでは、ステップＳ２にて撮影モード／再生モードの判定を行ない、その結果によってモード設定を行なう。
【００４３】
一方、ＵＳＢケーブルが接続されたＵＳＢ接続モードでは、ステップＳ３にてケーブルの種別を判定し、外部ハードディスク装置が繋がったＵＳＢホストケーブルが判定されたときは、ステップＳ４にてドライブ構造を確認し、ライブラリ構造なしの場合はステップＳ５でライブラリ構造を作成した後、ステップＳ６へ移行する。
【００４４】
ステップＳ６では、転送、再生、アルバム、接続解除の４つのメインメニューの選択を行ない、転送が選択されたときはステップＳ７で転送モードへ移行し、再生が選択されたときはステップＳ８で再生モードへ移行し、アルバムが選択されたときはステップＳ８′でアルバムモードへ移行する。又、接続解除が選択されたときはステップＳ１０でＵＳＢ接続解除を実行して、手続きを終了する。
【００４５】
(転送モード)
転送モードにおいては、図３に示す如く、ステップＳ１１にて転送方向をデフォルトの「ＳＤ(ＳＤカード)→ＢＯＸ(外部ハードディスク装置)」にセットする。次に、ステップＳ１２では、転送実行、転送方向設定、情報表示、メインメニューの４つの転送モードメニューの選択を行ない、ステップＳ１３で転送元データ容量の読み出し、ステップＳ１４で転送先容量の読み出しを行なった後、ステップＳ１５にて、転送が可能か否かの判断を行ない、転送不能の場合はステップＳ１７で容量警告の表示を行なう。
【００４６】
転送が可能な場合は、ステップＳ１８にて転送実行が選択されたか否かを判断し、イエスの場合は転送実行へ移行する。又、ステップＳ１９では情報表示が選択されたか否かを判断し、イエスの場合は転送方向設定へ移行する。又、ステップＳ２０では、転送方向が「ＢＯＸ→ＳＤ」であるか否かを判断し、ノーの場合はステップＳ２１にて転送後消去設定を行なうか否かを判断し、イエスの場合は転送後消去設定に移行する。ステップＳ２１にてノーと判断されたときはステップＳ２３に移行する。
ステップＳ２０にてイエスと判断されたときは、ステップＳ２２にて消去設定の無効化を行なった後、ステップＳ２３に移行する。
ステップＳ２３では、メインメニューを表示するか否かを判断し、ノーの場合はステップＳ１２に戻り、イエスの場合は図２のステップＳ６に戻る。
【００４７】
転送実行においては、図４に示す如く、ステップＳ３１にて転送方向が「ＳＤ→ＢＯＸ」であるか否かを判断し、ノーの場合は図５のステップＳ５１に移行する。
これに対し、図４のステップＳ３１にてイエスと判断されたときは、ステップＳステップＳ３２に移行して、日付時刻情報を読み出し、ステップＳ３３にて、ＢＯＸ側に当日の日付フォルダが有るか否かを判断する。ここでノーと判断されたときは、ステップＳ３４で当日の日付フォルダを作成した後、ステップＳ３４′でロール番号を“００１”に設定する。
【００４８】
一方、ステップＳ３３でイエスと判断されたときは、ステップＳ３５に移行し、当日の日付フォルダ内の最終ロール番号を読み出し、ステップＳ３６にてロール番号が“９９９”以下であるか否かを判断する。ここでノーと判断されたときはステップＳ３８にてエラー表示を行なった後、図３のステップＳ１２に戻る。これに対し、図４のステップＳ３６でイエスと判断されたときは、ステップＳ３７にて最終ロール番号に１を加算し、その結果をロール番号とする。
【００４９】
次にステップＳ３９では、ＢＯＸに、ロール番号を付けた新規のロール管理フォルダを作成し、ステップＳ４０では、新規ロール内にＤＣＩＭフォルダを作成する。続いてステップＳ４１にて、ＤＣＦ規格に基づいてフォルダ番号を“１００”に設定し、ステップＳ４２では、ＳＤカードのＤＣＩＭフォルダ内のフォルダ数をカウントし、ステップＳ４３では、ＳＤカード内の最初のフォルダを転送元に設定する。
【００５０】
その後、ステップＳ４４では、ＢＯＸに、フォルダ番号を付与した新規フォルダを作成し、ステップＳ４５にて、ＳＤカードからＢＯＸへ向けてフォルダ内のデータを転送する。そして、ステップＳ４６にて未転送フォルダが有るか否かを判断し、ここでイエスと判断されたときは、ステップＳ４７に移行して、ＳＤカード内の次にフォルダを転送元に設定し、ステップＳ４８では、フォルダ番号をカウントアップする。
これに対し、ステップＳ４６にてノーと判断されたときは、ステップＳ４９にて更に転送後消去するか否かを判断し、イエスの場合はステップＳ５０にてＳＤカードの転送元データを消去した後、図２のステップＳ６へ戻る。
【００５１】
図４のステップＳ３１にてノーと判断されたときは、先ず図５のステップＳ５１にて、ＤＣＩＭフォルダが有るか否かを判断する。ここでノーと判断されたときは、ステップＳ５２でＤＣＩＭフォルダを作成し、ステップＳ５３にてフォルダ番号を“１００”に設定する。
ステップＳ５１にてイエスと判断されたときは、ステップＳ５４にて最終フォルダ番号を読み出し、ステップＳ５５にてフォルダ番号が“９９９”以下であるか否かを判断する。ここでノーと判断されたときはステップＳ５７にてエラー表示を行なった後、図３のステップＳ１２に戻る。
これに対し、図５のステップＳ５５でイエスと判断されたときは、ステップＳ５６にて最終フォルダ番号に１を加算し、その結果をフォルダ番号とする。
【００５２】
その後、ステップＳ５８では、ロール内のフォルダ数をカウントし、ステップＳ５９にてロール内の最初のフォルダを転送元に設定する。そして、ステップＳ６０では、ＳＤカードに、フォルダ番号を付与した新規のフォルダを作成し、ステップＳ６１にて、ＢＯＸからＳＤカードへ向けてフォルダ内のデータを転送する。
続いてステップＳ６２では、未転送フォルダが有るか否かを判断し、イエスの場合は、ステップＳ６３でＢＯＸ内の次のフォルダを転送元に設定した後、ステップＳ６４にてフォルダ番号をカウントアップし、ステップＳ６０へ戻る。その後、ステップＳ６２にてノーと判断されたときは、図２のステップＳ６へ戻る。
【００５３】
転送方向設定においては、図６のステップＳ７１にて、「ＳＤ→ＢＯＸ」「ＢＯＸ→ＳＤ」「キャンセル」の中から転送方向の選択を行ない、ステップＳ７２で「ＳＤ→ＢＯＸ」が判定されたときはステップＳ７３に移行して、「ＳＤ→ＢＯＸ」の転送方向設定を実施し、ステップＳ７４にて「ＢＯＸ→ＳＤ」が判定されたときはステップＳ７５に移行して、「ＢＯＸ→ＳＤ」の転送方向設定を実施する。
その後、ステップＳ７６では、転送方向表示の更新を行なった後、図３のステップＳ１２に戻る。
一方、図６のステップＳ７４で「キャンセル」が判定されたときは、ステップＳ７７にてキャンセルを実行するか否かを判断し、ノーの場合はステップＳ７１へ戻り、イエスの場合は図３のステップＳ１２に戻る。
【００５４】
情報表示の場合は、図７のステップＳ８１にて、「ＢＯＸ情報」「ＳＤカード情報」「キャンセル」の中から情報表示の選択を行ない、ステップＳ８２で「ＳＢＯＸ情報」が判定されたときはステップＳ８３に移行して、ＢＯＸ空き容量の読み出しと保存ロール数の読み出しを行ない、ステップＳ８４にて「ＳＤカード情報」が判定されたときはステップＳ８５に移行して、ＳＤデータ容量の読み出しとファイル数の読み出しを行なう。
その後、ステップＳ８６では、情報表示画面の更新を行なった後、図３のステップＳ１２に戻る。
一方、図７のステップＳ８４で「キャンセル」が判定されたときは、ステップＳ８７にてキャンセルを実行するか否かを判断し、ノーの場合はステップＳ８１へ戻り、イエスの場合は図３のステップＳ１２に戻る。
【００５５】
転送後消去設定の場合は、図８のステップＳ９１にて、「転送後消去する」「転送後消去しない」の選択を行ない、ステップＳ９２にて「転送後消去する」が判定されたときはステップＳ９４で「消去」をオンとする。又、ステップＳ９３にて「転送後消去しない」が判定されたときはステップＳ９５で「消去」をオフとした後、図３のステップＳ１２に戻る。
一方、図８のステップＳ９３で何れも判定されなかったときは、ステップＳ９６にてキャンセルを実行するか否かを判断し、ノーの場合はステップＳ９１へ戻り、イエスの場合は図３のステップＳ１２に戻る。
【００５６】
(再生モード)
再生モードにおいては、図９のステップＳ１０１でメディア設定としてデフォルトの「ＢＯＸ」をセットし、ステップＳ１０２でビュー設定としてデフォルトの「ロールビュー」を設定する。
その後、ステップＳ１０３では、ビュー設定が「ロール」「カレンダー」又は「ＳＤカード」の何れであるかを判断する。
【００５７】
「ロール」の場合はステップＳ１０４にて、ロール選択リスト、ビュー選択などのロールビュー表示(図２３(ｄ)参照)を行なう。「カレンダー」の場合は、ステップＳ１０５にて日付選択リスト、ビュー選択などのカレンダービュー表示(図２３(ｅ)参照)を行なった後、ステップＳ１０７にて、ロール選択リスト、ビュー選択などのロール選択表示(図２３(ｇ))を行なう。又、「ＳＤカード」の場合は、ステップＳ１０６にてカード選択などのＳＤカードビュー表示(図２３(ｆ)参照)を行なう。
この様にして、それぞれのビュー設定に合わせてロール情報の読み出しと選択リストの表示を行ない、再生ロールを特定する操作を行なう。
【００５８】
そして、ステップＳ１０８にて再生対象ロールが確定したか否かを判断し、イエスのときはロール再生手続き(Ｂ−１)へ移行する。次にステップＳ１０９では、ビュー選択が行なわれたか否かを判断し、イエスのときはビュー選択手続き(Ｂ−３)へ移行する。更に、ステップＳ１１０では「Ｔ」キーが操作されたか否かを判断し、イエスのときはフォルダ選択手続き(Ｂ−４)へ移行する。
ステップＳ１１０にてノーと判断されたときは、ステップＳ１０３に戻ってビュー設定の判断を繰り返す。
【００５９】
ロール再生手続きにおいては、図１０のステップＳ１１１で単一の画像を再生した後(図２３(ｈ)参照)、ステップＳ１１２にて「Ｗ」キーが操作されたか否かを判断し、ノーの場合はステップＳ１１１に戻って単一画像の再生を継続する。ステップＳ１１２にてイエスと判断されたときは、ステップＳ１１３にて９画面マルチ画像を再生する(図２３(ｉ)参照)。
その後、ステップＳ１１４にて「Ｔ」キーが操作されたか否かを判断し、イエスのときはステップＳ１１１に戻って単一画像の再生を行なう。ステップＳ１１４にてノーと判断されたときは、ステップＳ１１５に移行して、「Ｗ」キーが操作されたか否かを判断する。ここでノーと判断されたときは、ステップＳ１１３に戻って９画面マルチ映像の再生を継続し、イエスと判断されたときは、フォルダ選択(Ｂ−４)へ移行する。
この様に、ロール再生においては、再生ロールが確定した時点で元のカメラ機能として組み込まれている再生モードを適用する。
【００６０】
ビュー選択手続きにおいては、図１１のステップＳ１３１にて、「ロールビュー」「カレンダービュー」「ＳＤカードビュー」のビュー選択表示を行なう(図２３(ａ)(ｂ)(ｃ)参照)。そして、ステップＳ１３２で「ロールビュー」が判定されたときはステップＳ１３３で「ビュー」にロールを設定する。ステップＳ１３４で「カレンダービュー」が判定されたときはステップＳ１３５で「ビュー」にカレンダーを設定する。ステップＳ１３６で「ＳＤカードビュー」が判定されたときはステップＳ１３７で「ビュー」にＳＤカードを設定する。
そして、ステップＳ１３８で「戻る」操作が行なわれたか否かを判断し、ノーとの場合はステップＳ１３１に戻って、ビュー選択表示を繰り返す。一方、ステップＳ１３８にてイエスと判断されたときは、ステップＳ１３９にてビュー選択情報を保存した後、図９のステップＳ１０３に戻る。
【００６１】
フォルダ選択手続きにおいては、図１２のステップＳ１２１にて、フォルダリスト及びロール選択画像からなるフォルダ選択画面を表示する(図２３(ｊ)参照)。その後、ステップＳ１２２では再生対象のフィルダーが確定したか否かを判断し、イエスの場合は再生モード(Ｂ−１)へ移行する。
ステップＳ１２２でノーと判断されたときは、ステップＳ１２３に移行して、ロール選択操作が行なわれたか否かを判断し、イエスの場合は図９のステップＳ１０３に戻って、ロール選択を行なう。
【００６２】
ステップＳ１２３にてノーと判断されたときは、ステップＳ１２４に移行して「Ｗ」キーが操作されたか否かを判断し、イエスの場合は図９のステップＳ１０３に戻って、ロール選択を行なう。
一方、ステップＳ１２４にてノーと判断されたときは、ステップＳ１２５に移行し、「Ｔ」キーが操作されたか否かを判断する。ここでノーと判断されたときはステップＳ１２１に戻ってフォルダ選択画面の表示を繰り返し、イエスと判断されたときは、図１０のステップＳ１１３に移行して、９画面マルチ画像再生を行なう。
【００６３】
図２３は、メインメニューの“データ転送”、“再生”、“アルバム”から、“再生”が選択されたときの、操作に応じた一連の表示画面の遷移を示している。
先ずメインメニューの表示から、図２３(ｄ)のロール(日付)ビューが表示される。ロール(日付)ビューにおいては、ロール番号と日付が対となって表示されており、この中から１つのロールを選択すると、(ｈ)の如く、そのロールに含まれる所定の単一のファイル(例えば最終フォルダの最終ファイル)が再生され、表示される。
そして、(ｈ)の如く１つのファイルが表示された状態で、画像送りキーを操作すれば、次のファイルの表示へと移行することが可能であり、この移行はフォルダに跨って行なうことが可能である。尚、ロール間の移行を行なう場合は、先ずロール選択を行なう。
【００６４】
(ｄ)のロール(日付)ビューから画像送りキーを左方へ操作すると、(ａ)のロール(日付)ビューの切り換え用画面に切り替わり、この画面から更に画像送りキーを下方へ操作すると、(ｂ)のカレンダービューの切り換え用画面に切り替わり、この状態から画像送りキーを右方へ操作すると、(ｅ)のカレンダービューが表示される。
カレンダービューにおいては、カレンダー上にロールの存在する日付がマーク表示され、その中から１つの日付を選択すると、(ｇ)に示す如くその日付を有する全てのロールが一覧表示される。この状態から１つのロールを選択すると、(ｈ)の如く、そのロールに含まれる所定の１つのファイル(例えば最終フォルダの最終ファイル)が再生され、表示される。
【００６５】
(ｂ)のカレンダービューの切り換え用画面から画像送りキーを下方へ操作すると、(ｃ)のＳＤカードビューの切り換え用画面に切り替わり、この状態から画像送りキーを右方へ操作すると、(ｆ)のＳＤカードビューが表示される。
ＳＤカードビューにおいては、カードが再生対象となっている旨の表示が行なわれ、この状態からカードを選択すると、(ｈ)の如く、そのカードに含まれる所定の１つのファイル(例えば最終フォルダの最終ファイル)が再生され、表示される。
【００６６】
(ｄ)のロールビュー、(ｅ)のカレンダービュー、或いは(ｆ)のＳＤカードビューから“Ｔ”キーを操作すると、(ｊ)の如くフォルダの選択画面が表示され、この中から１つのフォルダを選択して“Ｔ”キーを操作すると、(ｉ)の如くそのフォルダに含まれる複数のファイルがマルチ画面に表示される。そして、その中から１つのファイルを選択して“Ｔ”キーを操作すると、(ｈ)の如く選択されたファイルが再生され、表示される。
【００６７】
又、(ｈ)の如く１つのファイルが表示されている状態で“Ｗ”キーを操作すると、(ｉ)の如くそのファイルが含まれるフォルダについてマルチ画面が表示される。この状態から更に“Ｗ”キーを操作すれば、(ｊ)の如くそのフォルダが含まれるロールについてフォルダ選択画面が表示される。
そして、この状態から更に“Ｗ”キーを操作すれば、(ｄ)のロールビュー、(ｅ)のカレンダービュー、或いは(ｆ)のＳＤカードビューの表示に戻ることになる。
【００６８】
この様に、図２３(ｄ)のロール(日付)ビューから１つのロールを選択するだけで、(ｈ)の如く所定の１つのファイルを直接に表示し、この状態で表示を次の画像に切り換えることによって、所望の１つのファイルを表示することが可能であると共に、図２３(ｄ)のロール(日付)ビューからのロール選択、(ｊ)のフォルダ選択画面からのフォルダ選択、及び(ｉ)のマルチ画面表示からのファイル選択を経て、最終的に(ｈ)の如く所望の１つのファイルを表示することが可能である。
従って、ユーザは、この２つのファイル表示方法から好みに合った方法を選ぶことが出来る。
【００６９】
(アルバムモード)
アルバムモードにおいては、先ず図１３のステップＳ１４１にて、既に作成されているアルバムファイルのリストを検索し、その結果を表示する。次にステップＳ１４２では、再生対象とするアルバムをアルバムリストから選択するのか、アルバムを編集(変更)するのか、アルバムを消去するのか、或いはアルバムを新規再生するのかを選択するためのアルバムメニューを表示する(図２４(ｂ)参照)。
【００７０】
そして、再生対象のアルバムが選択されたときは、ステップＳ１４３にてアルバム再生のための手続き(Ｃ−１)に移行し、アルバムの新規作成が選択されたときは、ステップＳ１４４にてアルバム新規作成のための手続き(Ｃ−２)に移行し、アルバム編集が選択されたとき、ステップＳ１４５にてアルバム編集のための手続き(Ｃ−３)に移行し、アルバムの消去が選択されたときは、ステップＳ１４６にてアルバム消去のための手続き(アルバム消去)に移行し、メインメニューが選択されたときは、ステップＳ１４７にてメインメニューの表示へ戻る。
【００７１】
アルバム再生においては、図１４のステップＳ１５１にて、アルバムの中の先頭ファイルを表示した後、ステップＳ１５２にてアルバム再生を開始する。その後、ステップＳ１５３にてアルバム再生停止の操作が行なわれたか否かを判断し、イエスの場合は、図１３のステップＳ１４１に戻って、アルバムリストの検索・表示を行なう。
図１４のステップＳ１５３にてノーと判断されたときはステップＳ１５４に移行して、アルバムが終端まで再生されたか否かを判断し、イエスの場合は、図１３のステップＳ１４１に戻って、アルバムリストの検索・表示を行なう。
【００７２】
アルバム新規作成においては、図１５のステップＳ１６１にて、新規アルバムの番号を抽出した後、ステップＳ１６２にて、新規アルバム番号をファイル名として、新規アルバムファイルを作成する。次にステップＳ１６３では、ファイルカウンタＦＣ、ファイルポインタＦ＿ＰＴＲ、インサートポインタＩ＿ＰＴＲにそれぞれ０を設定し、ステップＳ１６４では、編集マーカーのフラグを“False”に設定した後、ステップＳ１６７に移行する。
一方、アルバム編集においては、図１５のステップＳ１６５にて、ファイルカウンタＦＣの読み込みを行なうと共に、ファイルポインタＦ＿ＰＴＲ、インサートポインタＩ＿ＰＴＲにそれぞれ０を設定し、ステップＳ１６６にて、編集マーカーのフラグを“True”に設定した後、ステップＳ１６７に移行する。
【００７３】
ステップＳ１６７では、ファイルを追加するときのファイルの参照位置として、先ず最終ロールの先頭を指定する。そして、ステップＳ１６８にて、アルバム作成操作画面の表示を更新した後、ステップＳ１６９にて、ファイルの追加が指示されたか否かを判断し、イエスのときはステップＳ１７０にて後述の「インサートポインタ」を表示した後、コマンド変数ｃｍｄに「追加」を設定する。
次にステップＳ１７２では、ファイルの移動が指示されたか否かを判断し、イエスのときはステップＳ１７３にて後述の「ファイルポインタ」を表示した後、コマンド変数ｃｍｄに「移動」を設定する。
更にステップＳ１７５では、ファイルの削除が指示されたか否かを判断し、イエスのときはステップＳ１７６にて「ファイルポインタ」を表示した後、コマンド変数ｃｍｄに「削除」を設定する。
【００７４】
その後、図１６のステップＳ１７８では、ポインタを進める操作が行なわれたか否かを判断し、イエスのときはステップＳ１７９にてポインタの移動が可能かどうかを判断し、イエスのときはステップＳ１８０に移行して、ファイルポインタＦ＿ＰＴＲとインサートポインタＩ＿ＰＴＲをそれぞれ１だけカウントアップする。
次にステップＳ１８１では、ポインタを戻す操作が行なわれたか否かを判断し、イエスのときはステップＳ１８２にてポインタの移動が可能かどうかを判断し、イエスのときはステップＳ１８３に移行して、ファイルポインタＦ＿ＰＴＲとインサートポインタＩ＿ＰＴＲをそれぞれ１だけカウントダウンする。
【００７５】
続いてステップＳ１８４では、コマンド変数ｃｍｄを実行する操作が行なわれたか否かを判断し、イエスの場合は、ステップＳ１８５にて、コマンド変数ｃｍｄが「追加」であるか否かを判断し、イエスの場合は後述の追加の手続きに移行する。又、ステップＳ１８６では、コマンド変数ｃｍｄが「移動」であるか否かを判断し、イエスの場合は後述の移動の手続きに移行する。更に、ステップＳ１８７では、コマンド変数ｃｍｄが「削除」であるか否かを判断し、イエスの場合は後述の削除の手続きに移行する。
【００７６】
一方、ステップＳ１８４にてノーと判断されたときは、ステップＳ１８８に移行して、アルバム新規作成或いはアルバム編集が完了したか否かを判断し、ノーの場合は図１５のステップＳ１６８に戻って、アルバム作成操作画面の表示を更新する。これに対し、図１６のステップＳ１８８にてイエスと判断されたときは、後述のアルバム設定手続きに移行する。
【００７７】
ファイルの追加
ファイルを追加する手続きにおいては、図１７のステップＳ１９１にて、追加ファイルの位置を読み出した後、ステップＳ１９２にて、ファイルリストを含む追加ファイル選択画面を表示する(図２４(ｆ)参照)。
そして、ステップＳ１９３では、ファイル選択を進める操作が行なわれたか否かを判断し、イエスの場合はステップＳ１９４にて選択マークを進める処理を行なう。次にステップＳ１９５では、ファイル選択を戻す操作が行なわれたか否かを判断し、イエスの場合はステップＳ１９６にて選択マークを戻す処理を行なう。この様にして再生モードと同じ条件で移動を行なう。
更にステップＳ１９７では、フォルダ選択の操作が行なわれたか否かを判断し、イエスの場合は後述のフォルダ選択手続きに移行する。
【００７８】
ステップＳ１９７にてノーと判断されたときは、ステップＳ１９８にて、選択したファイルでＯＫとする操作が行なわれたか否かを判断し、ノーの場合はステップＳ１９２に戻って、追加ファイル選択画面の表示を継続する。
一方、ステップＳ１９８にてイエスと判断されたときは、ステップＳ１９９に移行してアルバムファイルの操作を行なって、選択ファイルをインサートポインタＩ＿ＰＴＲの位置に追加する。
【００７９】
次に、ステップＳ２００にてファイルカウンタＦＣを１だけカウントアップし、ステップＳ２０１では、ファイルポインタＦ＿ＰＴＲとインサートポインタＩ＿ＰＴＲをそれぞれ１だけカウントアップする。この様にしてポインタを追加ファイルに合わせて進める。
続いてステップＳ２０２にて追加ファイルの位置を保存した後、図１５のステップＳ１６７に戻る。
【００８０】
フォルダ選択手続きにおいては、図１８に示す如く、ステップＳ２１１にて、ファイルリストを含むフォルダ選択画面を表示する(図２４(ｇ)参照)。
そして、ステップＳ２１２では、フォルダ選択を進める操作が行なわれたか否かを判断し、イエスの場合はステップＳ２１３にて選択マークを進める処理を行なう。次にステップＳ２１４では、フォルダ選択を戻す操作が行なわれたか否かを判断し、イエスの場合はステップＳ２１５にて選択マークを戻す処理を行なう。更にステップＳ２１６では、ロール選択の操作が行なわれたか否かを判断し、イエスの場合は後述のロール選択手続きに移行する。
【００８１】
ステップＳ２１６にてノーと判断されたときは、ステップＳ２１７にて、選択したフォルダでＯＫとする操作が行なわれたか否かを判断し、ノーの場合はステップＳ２１１に戻って、フォルダ選択画面の表示を継続する。一方、ステップＳ２１７にてイエスと判断されたときは、図１７のステップＳ１９２に戻って、追加ファイル選択画面の表示を行なう。
【００８２】
ロール選択手続きにおいては、図１９のステップＳ２２１にて、ロールリストを含むロール選択画面(図２４(ｈ)参照)を表示する。そして、ステップＳ２２２では、ロール選択を進める操作が行なわれたか否かを判断し、イエスの場合はステップＳ２２３にて選択マークを進める処理を行なう。次にステップＳ２２４では、ロール選択を戻す操作が行なわれたか否かを判断し、イエスの場合はステップＳ２２５にて選択マークを戻す処理を行なう。
その後、ステップＳ２２６にて、選択したロールでＯＫとする操作が行なわれたか否かを判断し、ノーの場合はステップＳ２２１に戻って、ロール選択画面の表示を継続する。一方、ステップＳ２２６にてイエスと判断されたときは、図１８のステップＳ２１１に戻って、フォルダ選択画面の表示を行なう。
【００８３】
ファイルの移動
ファイルを移動する手続きにおいては、図２０のステップＳ２３１にて移動ファイルを確定させる表示を行なった後、ステップＳ２３２にて、「インサートポインタ」を表示する(図２４(ｊ)参照)。
次にステップＳ２３３では、インサートポインタを進める操作が行なわれたか否かを判断し、イエスの場合はステップＳ２３４にてインサートポインタの移動が可能か否かを判断し、イエスの場合は、ステップＳ２３５にてインサートポインタＩ＿ＰＴＲを１だけカウントアップし、ステップＳ２３６にてアルバム作成操作画面の表示を更新する。
【００８４】
次にステップＳ２３７では、インサートポインタを戻す操作が行なわれたか否かを判断し、イエスの場合はステップＳ２３８にてインサートポインタの移動が可能か否かを判断し、イエスの場合は、ステップＳ２３９にてインサートポインタＩ＿ＰＴＲを１だけカウントダウンし、ステップＳ２４０にてアルバム作成操作画面の表示を更新する。
【００８５】
その後、ステップＳ２４１にて、ファイルを移動する場所の指定が完了したか否かを判断し、ノーの場合はステップＳ２３３に戻って、インサートポインタの移動を継続する。一方、ステップＳ２４１にてイエスと判断されたときは、ステップＳ２４２に移行して、アルバムファイルを操作し、移動ファイルをインサートポインタＩ＿ＰＴＲの位置に移動した後、図１５のステップＳ１６７に戻る。
【００８６】
ファイルの削除
ファイルを削除する手続きにおいては、図２１のステップＳ２５１にて、アルバムファイルから該当項目を削除し、ステップＳ２５２にてファイルカウンタＦＣを１だけカウントダウンした後、図１５のステップＳ１６７に戻る。
【００８７】
アルバム設定
アルバム設定手続きにおいては、図２２のステップＳ２６１にて、静止画表示時間の選択、切替効果の選択、ＢＧＭ選択などのアルバム設定メニューを表示する。
そして、ステップＳ２６２では、「静止画表示時間」が選択されたか否かを判断し、イエスの場合はステップＳ２６３に移行して、静止画表示時間の設定を行なう。次に、ステップＳ２６４では、「切替効果」が選択されたか否かを判断し、イエスの場合はステップＳ２６５に移行して、切替効果の設定を行なう。更にステップＳ２６６では、「ＢＧＭ」が選択されたか否かを判断し、イエスの場合はステップＳ２６７に移行して、ＢＧＭの設定を行なう。
【００８８】
その後、ステップＳ２６８では、アルバム設定を保存する操作が行なわれたか否かを判断し、ノーの場合はステップＳ２６１に戻って設定メニューの表示を継続する。ステップＳ２６８にてイエスと判断されたときは、ステップＳ２６９にて更にアルバム設定を保存する操作が行なわれたか否かを判断する。ここでノーと判断されたときは、図１３のステップＳ１４１に戻って、アルバムメニューの手続きを繰り返す。
【００８９】
一方、ステップＳ２６９にてイエスと判断されたときは、ステップＳ２７０に移行して、編集マーカーが“True”であるか否かを判断し、ノーの場合は新規作成されたアルバムと判断し、ステップＳ２７２にてアルバムを新規保存した後、図１３のステップＳ１４１に戻って、アルバムメニューの手続きを繰り返す。
これに対し、図２２のステップＳ２７０にてイエスと判断されたときは、既に存在するアルバムに対する編集操作であると判断し、更にステップＳ２７１にて上書き保存を行なうか否かを判断し、ノーの場合はステップＳ２７２に移行して新規保存を行なう一方、イエスの場合はステップＳ２７３に移行して上書き保存を行なった後、図１３のステップＳ１４１に戻って、アルバムメニューの手続きを繰り返す。
【００９０】
図２４は、メインメニューの“データ転送”、“再生”、“アルバム”から、“アルバム”が選択されたときの、操作に応じた一連の表示画面の遷移を示している。
図２４(ａ)に示すメインメニューの“データ転送”、“再生”、“アルバム”から、“アルバム”が選択されると、(ｂ)の如く再生の対象となるアルバムファイルの選択画面が表示される。その中から１つのアルバムファイルを選択し、「ＳＥＴキー」を操作すれば、そのアルバムファイルを再生することが出来る。一方、その中から１つのアルバムファイルを選択し、アルバム編集を選択すると、(ｄ)の如くそのアルバムファイルが破線の枠で表示される。その選択を決定すると、(ｅ)の如く“追加”“移動”“消去”の選択ボタンが表示される。
【００９１】
ここで“追加”を選択すると、ファイルの挿入位置を示すインサートポインタが三角形のマークで表示される。そして、キー操作によって挿入位置を決定すると、(ｆ)に示すファイル選択画面と、(ｇ)に示すフォルダ選択画面と、(ｈ)に示すロール選択画面とを切り換えながら、追加するファイルを指定することが出来る。
(ｆ)のファイル選択画面から１つのファイルを選択して、(ｅ)の画面に戻ると、選択されたファイルがインサートポインタの位置に挿入され、ファイルの追加が行なわれることになる。
【００９２】
(ｅ)の画面から“移動”を選択すると、(ｉ)に示す如く移動の対象となるファイルが太枠によって示され、移動すべきファイルを選択すると、(ｊ)の如く選択されたファイルがファイルポインタ(破線の枠)によって示されると共に、そのファイルのサムネイル画像が画面中に常時、表示される。これと同時に、移動先を指定するためのインサートポインタ(三角形のマーク)が表示される。
そこでインサートポインタを移動させて、移動先を指定する。この過程でスクロールにより移動対象ファイルが画面から消失したとしても、移動対象ファイルのサムネイルが画面中に表示されているので、不便はない。
ファイルの移動先を決定すると、(ｋ)の如く、移動対象ファイルを移動先に移動した後のファイル列が画面に表示されることになる。
【００９３】
図２５は、上述のポインタを用いたファイルの追加及び移動の様子を表わしている。ファイルの追加においては、三角形のマークによってインサートポインタが表示され、そのインサートポインタの位置に新たなファイル“Ｎｅｗ”が挿入される。
一方、ファイルの移動においては、先ず、移動対象として選択されたファイル“Ａ”が、太線の枠からなるポインタによって示され、移動対象のファイルが決定されると、そのファイルが、破線の枠からなるファイルポインタによって示され、そのファイルポインタによって示されたファイルが、三角形のマークからなるインサートポインタの位置に移動される。
【００９４】
この様なファイルの追加、移動は、リンクファイルの編集によって行なわれ、フォルダやロールに跨ったファイル及び位置の選択が可能である。従って、ファイルの再生対象ファイルリストへの追加、移動を自由に行なうことが出来る。
尚、ファイルの消去においては、消去の対象として選択されたファイルが、太線の枠からなるポインタによって示され、消去の実行によって、そのポインタによって示されたファイルリストが消去される。但し、ファイル自体は消去されない。
【００９５】
上記本発明のデジタルカメラによれば、図１の如く、カメラ本体(１)にクレードル(２)を介して外部ハードディスク装置(３)を接続した構成において、カメラ本体(１)のＣＰＵ(31)の制御によって、外部メモリカード(16)に書き込まれているファイルを外部ハードディスク装置(３)へ転送することが可能である。
従って、従来の様に外部ハードディスク装置にパーソナルコンピュータを接続して該パーソナルコンピュータによってデータの転送を制御する必要がなく、便利である。
【００９６】
又、外部ハードディスク装置(３)に蓄積されている複数のファイルから所望のファイルを選択してカメラ本体(１)に読み込み、カメラ本体(１)内蔵のＪＰＥＧ復号化回路(20)、ＭＰＥＧ−４ビデオ復号化回路(21)或いはＡＡＣオーディオ復号化回路(22)によって該ファイルを復号化し、カメラ本体(１)に接続したモニタテレビジョン受像機(４)やスピーカー(５)によって映像や音声の再生が可能である。
従って、従来の様に外部ハードディスク装置にデコーダーやビデオ出力回路を接続する必要がなく、構成が簡易となる。
【００９７】
更に又、メモリコントローラ(14)と外部ハードディスク装置(３)との間のデータ転送においては、ＤＣＦディレクトリが維持されるので、ファイルのアクセス性が極めて良好であり、高速のデータ転送が実現される。
【００９８】
尚、本発明の各部構成は上記実施の形態に限らず、特許請求の範囲に記載の技術的範囲内で種々の変形が可能である。例えば、図１に示す実施例では、カメラ本体(１)にクレードル(２)を接続する構成が採用されているが、クレードル(２)のＵＳＢデバイスコネクタ(27)、ＵＳＢホストコネクタ(28)及びＡＶコネクタ(29)をカメラ本体(１)に設けて、クレードル(２)を省略することも可能である。
又、外部メモリとしてＳＤカード等の外部メモリカード(16)、外部記憶装置として外部ハードディスク装置(３)が採用されているが、これに限らず、周知の種々の外部メモリ及び外部記憶装置を採用することが可能である。
【図面の簡単な説明】
【００９９】
【図１】本発明に係るデジタルカメラの構成を示すブロック図である。
【図２】カメラ本体のＣＰＵが実行する制御手続きにおける基本的な流れを表わすフローチャートである。
【図３】前記制御手続きにおける転送モードの処理の流れを表わすフローチャートである。
【図４】前記転送モードにおける転送実行手続きを表わすフローチャートである。
【図５】前記転送モードにおける逆方向の転送実行手続きを表わすフローチャートである。
【図６】前記転送モードにおける転送方向設定手続きを表わすフローチャートである。
【図７】前記転送モードにおける情報表示手続きを表わすフローチャートである。
【図８】前記転送モードにおける転送後消去設定手続きを表わすフローチャートである。
【図９】前記制御手続きにおける再生モードの処理の流れを表わすフローチャートである。
【図１０】前記再生モードにおけるロール再生手続きを表わすフローチャートである。
【図１１】前記再生モードにおけるビュー選択手続きを表わすフローチャートである。
【図１２】前記再生モードにおけるフォルダ選択手続きを表わすフローチャートである。
【図１３】アルバムモードの処理の流れを表わすフローチャートである。
【図１４】前記アルバムモードにおけるアルバム再生手続きを表わすフローチャートである。
【図１５】前記アルバムモードにおけるアルバム新規作成手続き及びアルバム編集手続きの前半を表わすフローチャートである。
【図１６】前記アルバムモードにおけるアルバム新規作成手続き及びアルバム編集手続きの後半を表わすフローチャートである。
【図１７】ファイル追加手続きを表わすフローチャートである。
【図１８】フォルダ選択手続きを表わすフローチャートである。
【図１９】ロール選択手続きを表わすフローチャートである。
【図２０】ファイル移動手続きを表わすフローチャートである。
【図２１】ファイル削除手続きを表わすフローチャートである。
【図２２】アルバム設定手続きを表わすフローチャートである。
【図２３】前記再生モードにおける画面表示の遷移図である。
【図２４】前記アルバムモードにおける画面表示の遷移図である。
【図２５】ファイルの追加、移動及び消去のためのポインタの表示パターンを示す図である。
【図２６】外部メモリカードのディレクトリ構造を示す図である。
【図２７】外部ハードディスク装置のディレクトリ構造を示す図である。
【図２８】従来のカメラ本体及びストレージ装置の構成を示すブロック図である。
【符号の説明】
【０１００】
(１)  カメラ本体
(14)  メモリコントローラ
(15)  カードドライブ
(16)  外部メモリカード
(17)  ＵＳＢインターフェース
(18)  ＵＳＢデバイスコントローラ
(19)  ＵＳＢホストコントローラ
(31)  ＣＰＵ
(33)  バス
(２)  クレードル
(27)  ＵＳＢデバイスコネクタ
(28)  ＵＳＢホストコネクタ
(29)  ＡＶコネクタ
(３)  外部ハードディスク装置
(４)  モニタテレビジョン受像機
(５)  スピーカー
【図１】
0005116407.tif 000002
【図２】
0005116407.tif 000003
【図３】
0005116407.tif 000004
【図４】
0005116407.tif 000005
【図５】
0005116407.tif 000006
【図６】
0005116407.tif 000007
【図７】
0005116407.tif 000008
【図８】
0005116407.tif 000009
【図９】
0005116407.tif 000010
【図１０】
0005116407.tif 000011
【図１１】
0005116407.tif 000012
【図１２】
0005116407.tif 000013
【図１３】
0005116407.tif 000014
【図１４】
0005116407.tif 000015
【図１５】
0005116407.tif 000016
【図１６】
0005116407.tif 000017
【図１７】
0005116407.tif 000018
【図１８】
0005116407.tif 000019
【図１９】
0005116407.tif 000020
【図２０】
0005116407.tif 000021
【図２１】
0005116407.tif 000022
【図２２】
0005116407.tif 000023
【図２３】
0005116407.tif 000024
【図２４】
0005116407.tif 000025
【図２５】
0005116407.tif 000026
【図２６】
0005116407.tif 000027
【図２７】
0005116407.tif 000028
【図２８】
0005116407.tif 000029